(57)【要約】【課題】  少なくとも柔軟性と断熱性と室内装飾性を備え、ガラス板に対して着脱自在となる窓ガラス用断熱体を提供することを目的とするものである。【解決手段】  枠部Ｆ内に嵌め込まれているガラス板Ｇの室内側に取付ける断熱材２と、該断熱材に対して着脱自在となる装飾材３とから成り、断熱材は少なくとも透光性と柔軟性を備え、室内側に装飾材の係合手段４を、室外側にガラス板への着接手段５を備えている。また、断熱材２の室内側に装飾材を一体的に取付け、断熱材の室外側にガラス板への着接手段を備えており、断熱材が発泡樹脂材２１で、着接手段が粘着式着接手段２５で、係合手段が面ファスナー式係合手段１４で、装飾材がレース生地３２であり、ガラス板への取付け厚さｔがガラス板面ｇからの枠部室内面ｆまでの額高さＴ以内である。【選択図】        図２−１
2007126820.tif 000002
【特許請求の範囲】
【請求項１】
枠部（Ｆ）内に嵌め込まれているガラス板（Ｇ）の室内側に取付ける断熱材（２）と、該断熱材（２）に対して着脱自在となる装飾材（３）とから成り、断熱材（２）は少なくとも透光性と柔軟性を備え、室内側に装飾材（３）の係合手段（４）を、室外側にガラス板（Ｇ）への着接手段（５）を備えていることを特徴とする別体型窓ガラス用断熱体。
【請求項２】
枠部（Ｆ）内に嵌め込まれているガラス板（Ｇ）の室内側に取付ける断熱材（２）と、該断熱材（２）の室内側に一体的に取付ける装飾材（３）とから成り、断熱材（２）は少なくとも透光性と柔軟性を備え、室外側にガラス板（Ｇ）への着接手段（５）を備えていることを特徴とする一体型窓ガラス用断熱体。
【請求項３】
ガラス板（Ｇ）への取付け厚さ（ｔ）がガラス板面（ｇ）からの枠部室内面（ｆ）までの額高さ（Ｔ）以内であることを特徴とする請求項１または２記載の窓ガラス用断熱体。
【請求項４】
断熱材（２）が巻付け可能な程度に柔軟性を備えている発泡樹脂材（２１）で、着接手段（５）が粘着式着接手段（２５）であり、粘着式着接手段（２５）はテープ（８ａ）の少なくとも片面に粘着層（８ｂ）を備え、その粘着層（８ｂ）を使用するまで剥離紙（９）にて保護していることを特徴とする請求項１，２または３記載の窓ガラス用断熱体。
【請求項５】
係合手段（４）が面ファスナー式係合手段（１４）であり、該係合手段（１４）の雄型面ファスナー（６）を断熱材室内面（２ａ）の少なくとも外周縁部に取付け、雄型面ファスナー（６）のフック（６ａ）を室内側に向けていることを特徴とする請求項１，３または４記載の窓ガラス用断熱体。
【請求項６】
装飾材（３）が雄型面ファスナー（６）に着脱可能となるレース生地（３２）であることを特徴とする請求項５記載の窓ガラス用断熱体。
【発明の詳細な説明】
【技術分野】
【０００１】
この発明は、主に建物の窓ガラスに直接取付け得るようにした断熱体に関するものであり、詳しくは建物の外壁に設ける回転窓、開閉窓、嵌め殺し窓類のガラス、天井窓のガラス、出入り口に設ける引き戸、折り畳み戸、ドア類のガラス、仕切壁のガラスに取付けるものである。
【背景技術】
【０００２】
建物の外壁や屋根に、採光や通風の目的で窓又は天井窓を設ける。この窓は、図の如く一般的に左右縦枠材と上下枠材の内周側に、内周向きに開口する溝を各々備え、タイト材を用いて溝にガラス板をタイト材いて
出入り口に設ける引き戸やドア、或は折り畳み戸等にも、採光や通風等の目的でガラス板を嵌め込んだ窓部を備えることもある。
【０００３】
近年、省エネルギーの考え方から、窓部における断熱処理も不可欠であり、断熱性を向上させる提案も多くなされている。例えば、復層ガラスを用いた窓部を採用したり、二重窓構造に施工することも試みられているが、同手段を採用した場合、費用が嵩む。
安価な手段として、窓部の室内側に、採光調整用のカーテンやシャッターを取付けている。
窓ガラスに断熱シート（保温シートとも称する）を貼着したり、それは機能的にも構成上も単純なものであり、一時の間に合わせであったり、また限られた用途の使用が多く、窓周辺の状況に応じて、多方面で充分な機能を果たすものでは無かった。
【特許文献１】特開平８−２６０８３２号公報（Ｅ０６Ｂ５／００）。
【発明の開示】
【発明が解決しようとする課題】
【０００４】
窓枠内に複層ガラス板を嵌め込んだり、ガラス窓全体を二重にすれば、断熱性が飛躍的に向上することは明らかであるが、大幅な補修等に依らなければならず、そのことにより多大な費用負担が発生するし、改造も容易ではなく、簡単に採用することは出来ない問題点がある。
【０００５】
ガラス板の室内側に断熱シートを粘着したり合成樹脂板を取付ける試みもなされているが、一時の間に合わせであったり、用途も限られていた。
そこでこの発明は、従来技術の有するこのような問題点に鑑みてなされたものであり、その目的とするところは、採光性を有しながら高い断熱効果、防音性、遮蔽目隠し効果、結露防止効果等があり、しかもガラス板に対して着脱自在となり、レース生地（柄、色等）による室内装飾性を生かすことのできる窓ガラス用断熱体を提供することを目的とするものである。
【課題を解決するための手段】
【０００６】
本発明の別体型窓ガラス用断熱体は、請求項１として、枠部内に嵌め込まれているガラス板の室内側に取付ける断熱材と、該断熱材に対して着脱自在となる装飾材とから成り、断熱材は少なくとも透光性と柔軟性を備え、室内側に装飾材の係合手段を、室外側にガラス板への着接手段を備えていることを特徴とする。
請求項２の一体型窓ガラス用断熱体は、枠部内に嵌め込まれているガラス板の室内側に取付ける断熱材と、該断熱材の室内側に一体的に取付ける装飾材とから成り、断熱材は少なくとも透光性と柔軟性を備え、室外側にガラス板への着接手段を備えていることを特徴とする。
【０００７】
ここで枠部とは、ガラス板を嵌め込むものの全てを言い、例えば一般建物における開閉式窓や固定式窓の枠部、出入り口の扉（ドア）や引き戸、或は折り畳み戸の枠部、天井窓の枠部、更には自動車や船舶等における窓の枠部を言う。
ここでガラス板とは、透光性を有するガラス製及びアクリル樹脂製のものを言い、無色透明に限定されず、有色透明や半透明であってもよい。
ここで別体型とは、断熱材に対して装飾材が着脱自在となるり、需要者においても任意に交換し得るものを言い、一体型とは、断熱材と装飾材とを製造段階で取付けておくものを言う。
【０００８】
請求項３として、請求項１，２記載の窓ガラス用断熱体において、ガラス板への取付け厚さがガラス板面からの枠部室内面までの額高さ以内であることを特徴とする。
請求項４として、請求項１，２，３記載の窓ガラス用断熱体において、断熱材が巻付け可能な程度に柔軟性を備えている発泡樹脂材で、着接手段が粘着式着接手段であり、粘着式着接手段はテープの少なくとも片面に粘着層を備え、その粘着層を使用するまで剥離紙にて保護していることを特徴とする。
請求項５として、請求項１，３，４記載の窓ガラス用断熱体において、係合手段が面ファスナー式係合手段であり、該係合手段の雄型面ファスナーを断熱材室内面の少なくとも外周縁部に取付け、雄型面ファスナーのフックを室内側に向けていることを特徴とする。
請求項６として、請求項５記載の窓ガラス用断熱体において、装飾材が雄型面ファスナーに着脱可能となるレース生地であることを特徴とする。
【０００９】
ここで断熱材とは、発泡ウレタン等の発泡樹脂材を言うが、ガラス板からの放熱を防いで断熱効果を高めるもの、或いは、紫外線を遮断するものであれば、その他の素材であってもよい。
ここで装飾材とは、室内を装飾する生地の総てを言い、例えばカーテン生地が望ましく、特にループや網目を有するレース生地が好ましい。
ここで着接手段とは、ガラス板面との密着性が高く、且つ何回でも着脱が容易に行える粘着式着接手段が好ましいが、吸盤を用いることも可能である。
ここで係合手段とは、断熱材や装飾材に対する取付が容易で、しかも何回でも着脱が可能なもの、例えば面ファスナー式係合手段（商品名マジックテープ）、ボタンとボタンホール、雄雌ホックが好ましい。
ガラス板への取付け厚さとは、装飾材に断熱材を、その断熱材の室外側に着接手段を取付けた状態における最大厚さを言い、採用可能な範囲は３０ｍｍ以下、望ましくは２０ｍｍ以下、最適な範囲は１０ｍｍ以下である。特に、断熱材厚さを薄くすることで、透光性を有することとなる。
【発明の効果】
【００１０】
本発明による窓ガラス用断熱体は上記構造のとおりであるから、次に記載する効果を奏する。
請求項１，２の窓ガラス用断熱体は、共通の効果として、ガラス板の室内側に断熱材を、その断熱材の室内側に装飾材を備えているので、優れた断熱効果を得ることができるばかりか、防音効果、目隠し効果も向上する。その結果、冷暖房時の省エネルギー対策製品として、多大な貢献を奏する。また、断熱材と装飾材は柔軟性と透光性を備えているので、保管・輸送時には巻き付けておけるし、ガラス板に装着しても室内が暗くなることはない。更に、取扱が簡単容易で、極めて安価に提供し得るばかりか、地震等で例えガラス板が割れても、その破片が室内に飛び散るのを防ぐこともできる。
請求項１の別型窓ガラス用断熱体にあっては、断熱材に対する装飾材の着脱が極めて容易であり、しかも需要者においても交換可能し得るので、季節や目的に応じて取替えて、室内の装飾効果を変更することができる。
請求項２の一体型窓ガラス用断熱体にあっては、装飾材の着脱が不要であるから、その分、取扱が更に簡便になる。しかも、別型窓ガラス用断熱体より軽量に、且つガラス板への取付け厚さを薄くし得るので、額高さの小さい窓枠にも無理なく用いることができる。
【００１１】
請求項３の窓ガラス用断熱体は、請求項１，２の特徴に加えて、ガラス板への取付け厚さがガラス板面からの枠部室内面までの額高さ以内であるから、例え引き違い障子や片引き戸、折り畳み戸のガラス板に装着しても、障子や戸を支障なく開閉することができる。
請求項４の窓ガラス用断熱体は、請求項１，２，３の特徴に加えて、断熱材が巻付け可能な程度に柔軟性を備えている発泡樹脂材であるから、軽量で、断熱効果も高く、コンパクトに保管したり輸送し得る。また、着接手段として粘着式着接手段（粘着テープ）を用いるので、粘着テープの粘着層を使用するまで剥離紙にて保護しておける。
【００１２】
請求項５の窓ガラス用断熱体は、請求項１，３，４の特徴に加えて、係合手段に面ファスナー式係合手段を用いるので、面ファスナーの取付けに熟練や特殊技能の必要がなく、作業性が一段と改善される。また、別売りしても、日曜大工で十分取付け可能である。
請求項６の窓ガラス用断熱体は、請求項５記載の特徴に加えて、装飾材がレース生地であるから、係合手段として断熱材の室内面に雄面ファスナーを取付けるだけで済む。その結果、係合手段の取付が極めて簡単容易になる。しかも雄面ファスナーのフックに対して直接何度でも簡単に着脱し得るし、目的に応じて他のレース生地と簡単に交換できる。その結果、室内の装飾効果が向上する。
【発明を実施するための最良の形態】
【００１３】
先ず、一般建物における開閉式窓や固定式窓、出入り口の扉（ドア）や折り畳み戸の窓部、或は引き戸の窓部を図１−１〜図１−３に基づき説明すると、窓（窓部）の枠部Ｆは左右縦枠材Ｆ１，Ｆ２と上下横枠材Ｆ３，Ｆ４とから構成され、その内周側の矩形状空間部にガラス板Ｇを嵌め込むもので、枠部Ｆを構成する各枠材Ｆ１，Ｆ２，Ｆ３，Ｆ４は内周壁ｆ１，ｆ２，ｆ３，ｆ４に、内周向きに開口するガラス嵌合溝Ｅ１，Ｅ２，Ｅ３，Ｅ４を備え、嵌合溝Ｅ１，Ｅ２，Ｅ３，Ｅ４に弾力性を有するパッキンＰを介してガラス板Ｇを気密に嵌挿保持するもので、ガラス板面ｇから枠部室内面ｆまでの額高さＴを有している。
左右縦枠材Ｆ１，Ｆ２の間に上下横枠材Ｆ３，Ｆ４と平行する中桟（図示せず）を取付け、中桟の上下に矩形状空間部を形成し、両空間部にガラス板Ｇを嵌め込む場合もある。
【００１４】
次いで、本発明による窓ガラス用断熱体の最良形態を図２−１と図２−２に基づき説明すると、窓ガラス用断熱体１は枠部Ｆに嵌め込まれているガラス板Ｇの室内側に取付ける断熱材２と、該断熱材２の室内側に着脱自在となる装飾材３とから成る別体型窓ガラス用断熱体１０（以下、別体型断熱体１０とする）であり、断熱材２として少なくとも透光性と巻付け可能な程度の柔軟性を備えている発泡樹脂材２１の内、耐熱性、耐衝撃性、耐候性に優れ、しかも軽量であり、加工成形が容易な発泡ウレタン樹脂２２を用い、該発泡ウレタン樹脂２２の室内側に装飾材３の係合手段４を、室外側にガラス板Ｇへの着接手段５を備え、装飾材３としてループや網目を有するレース生地３２を、係合手段４として面ファスナー式係合手段１４の雄型面ファスナー６にみを、着接手段５として粘着式着接手段２５の両面粘着テープ１８を用い、ガラス板Ｇへの取付け厚さｔをガラス板面ｇから枠部室内面ｆまでの額高さＴ以内に形成している。
【００１５】
最良形態は上記構造であるから、室内面２ａに雄型面ファスナー６を、室外面２ｂに両面粘着テープ１８を備えた発泡ウレタン樹脂２２と、レース生地３２とをワンセット（簡便タイプ）にして販売するか、室内面２ａに雄型面ファスナー６を備えた発泡ウレタン樹脂２２と、レース生地３２と、両面粘着テープ１８とをワンセット（簡易タイプ）にして販売するか、発泡ウレタン樹脂２２と、レース生地３２と、雄型面ファスナー６と、両面粘着テープ１８とをワンセット（日曜大工タイプ）にして販売するものでる。
簡便タイプの両面粘着テープ１８は、図６（イ）の如くテープ８ａの両面に粘着層８ｂ，８ｃを備え、その粘着層８ｂ，８ｃを使用するまで剥離紙９にて保護するものであり、粘着層８ｂ，８ｃの一方から剥離紙９を剥ぎ取りながら発泡ウレタン樹脂２２の室外面２ｂに装着し、粘着層８ｂ，８ｃの他方はガラス板Ｇに装着するまで剥離紙９にて保護しておく。簡易タイプと日曜大工タイプの両面粘着テープ１８にあっては、使用するまで剥離紙９にて保護しておく。
【００１６】
簡便タイプの施工例を説明すると、予めガラス板Ｇのガラス板面ｇを奇麗にしておき、先ず発泡ウレタン樹脂２２の室内面２ａにレース生地３２を装着し、その発泡ウレタン樹脂２２の室外面２ｂに貼着してある両面粘着テープ１８から剥離紙９を剥ぎ取りながら粘着層８ｂをガラス板Ｇのガラス板面ｇに押付けて着設する。
簡易タイプの施工例を、簡便タイプと相違する点について説明すると、発泡ウレタン樹脂２２の室外面２ｂに両面粘着テープ１８を装着する点にある。
日曜大工タイプの施工例を、簡易タイプと相違する点について説明すると、発泡ウレタン樹脂２２の室内面２ａに雄型面ファスナー６のフック６ａを室内側に向けて、縫着又は接着等により装着する点にある。
発泡ウレタン樹脂２２にレース生地３２を装着する場合、発泡ウレタン樹脂２２をガラス板Ｇに装着する場合、弛みが発生しないように装着することが望ましい。
雄型面ファスナー６の装着範囲は発泡ウレタン樹脂２２及びレース生地３２の大きさに左右されるが、断熱材室内面２ａの少なくとも外周縁部に装着し、必要に応じて任意位置に装着する。
一度装着した別体型断熱体１０であっても、レース生地３２の一端を持ち発泡ウレタン樹脂２２より引き剥がすことにより容易に取り外すことができるので、即ち、レース生地３２は着脱可能となるので、通年使用する必要はなく、季節や部屋の模様替えに応じて簡単に交換し得る。しかもガラス板Ｇの略全面を覆うので、高い断熱効果を得ることができて、室内の冷暖房効果を大幅に向上させることができる。更に、発泡ウレタン樹脂２２の一端を持ちガラス板Ｇより引き剥がすことにより容易に取り外すことができるので、何回でも着脱が可能となる。ガラス板Ｇと異なる防音性があるので、防音効果も向上する。
ガラス板Ｇの略全面を覆ことにより、室内は多少暗くなるが、照明を必要としないし、レース生地を選択使用することで、室内の装飾効果を高めることができる。また、ガラス板Ｇに装着した場合でも、支障なく障子やガラス戸の開閉を行うことが可能となる。
【実施例１】
【００１７】
本発明による別体型窓ガラス用断熱体の第一実施形態を、最良形態と相違する点について説明すると、第一実施形態の別体型断熱体１０は図３の如く、装飾材３としてカーテン生地３１を、面ファスナー式係合手段１４として、図７（イ）のテープ６ｂの片面にフック６ａを備えた雄型面ファスナー６と、図７（ロ）の如くテープ７ｂの片面にループ７ａを備えた雌型面ファスナー７とを用い、雄型面ファスナー６と雌型面ファスナー７との一方を断熱材室内面２ａに、他方をカーテン生地３１の室外面に縫着するものである。
カーテン生地３１として薄手のカーテン生地３１を用いることが望ましい。
【実施例２】
【００１８】
本発明による別体型窓ガラス用断熱体の第二実施形態を、最良形態と相違する点について説明すると、第二実施形態の別体型断熱体１０は図４の如く、装飾材３としてレース生地３２を用い、そのレース生地３２の表側下端部に断熱材室内面２ａと同様の雄型面ファスナー１６を備えている。
このことにより、レース生地３２の下側を断熱材２より引き離し、上側に折り返し、表側下端部に取付けた雄型面ファスナー１６のフック６ａをレース生地３２に押付ければ、任意高さ位置で係止することができる。即ち、断熱材２に対する装飾材３の装着範囲を調整することができる。
【実施例３】
【００１９】
本発明による窓ガラス用断熱体の内、一体型窓ガラス用断熱体１１（以下、一体型断熱体１１とする）の実施形態を、別体型断熱体１０と相違する点について説明すると、一体型断熱体１１は図５−１と図５−２の如く、枠部Ｆに嵌め込まれているガラス板Ｇの室内側に取付ける断熱材２と、該断熱材２の室内面２ａに一体的に取付ける装飾材３とから成り、断熱材２として少なくとも透光性と巻付け可能な程度の柔軟性を備えている発泡樹脂材２１の内、耐熱性、耐衝撃性、耐候性に優れ、しかも軽量であり、加工成形が容易な発泡ウレタン樹脂２２を用い、該発泡ウレタン樹脂２２の室外側にガラス板Ｇへの着接手段５を備え、装飾材３としてループや網目を有するレース生地３２を備えている。
一体型断熱体１１と別体型断熱体１０との相違点は、泡発ウレタン樹脂２２とレース生地３２を予め取付けておくか、着脱自在にするかにある。
【産業上の利用可能性】
【００２０】
最良形態の施工例において、予め発泡ウレタン樹脂２２の室内面２ａにレース生地３２を取付けておき、これをガラス板Ｇの室内側に装着したが、先ずガラス板Ｇの室内側に発泡ウレタン樹脂２２を装着し、その発泡ウレタン樹脂２２の室内面２ａにレース生地３２を後から装着することも可能である。
発泡ウレタン樹脂２２の代わりに少なくとも断熱性と柔軟性を有する発泡樹脂材２１を用いることも可能である。
【００２１】
実施例では、粘着式着接手段２５として両面粘着テープ１８を用いたが、断熱材２の室外面２ｂに図６（ロ）の如く片面粘着テープ８を貼着しても同様に使用し得る外、着接手段５として図６（ハ）の如くテープ６ｂに粘着層８ｂを備えた雄型面ファスナー６Ａをガラス板Ｇに、断熱材２の室外面２ｂに雌型面ファスナー７を装着することも可能である。また、粘着式着接手段２５の代わりに面ファスナー式着接手段１５（面ファスナー式係合手段１４の転用）を用いたり、吸盤や糊（図示せず）を用いることも可能である。
実施例では、係合手段４として面ファスナー式係合手段１４を用いたが、ボタン式（ボタンとボタンホール）、ホック式（雄ホックと雌ホック）等を用いることも可能である。
面ファスナー式係合手段１４と面ファスナー式着接手段１５の取付けには、縫着、樹脂接着、熱接着、超音波接着等、適宜、選択して行う。
係合手段４と着接手段５は、断熱材２や装飾材３の上下端及び左右端寄りに備える一方、断熱材２と装飾材３の大きさに合わせて任意位置にも備えるものである。また、断熱材２と装飾材３の全巾及び全高に連続的に備えることが好ましいが、任意間隔に備えることも可能である。
【００２２】
図８−１の如く一定巾を有する長尺断熱材２０よりガラス板Ｇの大きさに対応した断熱材２をハサミ等によって切断したり、図８−２の如く一定巾を有する長尺装飾材３０より断熱材２の大きさに対応した装飾材３をハサミ等によって切断することも可能である。
断熱材２と装飾材３とを標準枠部Ｆの枠内巾Ｌと枠内高さＨより一回り大きくしておき、需要者において図２−２の如く枠部Ｆに合わせてハサミで切断し得るようにする。また、枠内高さＨが１メートルを超える場合、本発明の窓ガラス用断熱体を上下に分けて取付けたり、上中下に分けて取付けることも可能である。
本発明の窓ガラス用断熱体は、ガラス板Ｇの室内側に装着するものであるから、ガラス板Ｇの清掃作業時等には、必要に応じて自由に取り外すことが出来る。
ガラス板Ｇへの取付け厚さｔとは、断熱材２の室内側に装飾材３を、室外側に着接手段５を取付けた状態における最大厚さを言い、採用可能な範囲は３０〜５ｍｍ、望ましくは２０〜５ｍｍ、最適な範囲は１０〜５ｍｍである。
【図面の簡単な説明】
【００２３】
【図１−１】枠部の構成例を示す正面図である。
【図１−２】窓ガラスに対する本発明別体型窓ガラス用断熱体の装着前（イ）と装着後（イ）の要部縦断面図である。
【図１−３】その要部横断面図である。
【図２−１】本発明の別体型窓ガラス用断熱体における最良形態の断熱材と装飾材との分離状態（イ）と装着状態（ロ）の側面図である。
【図２−２】最良形態における断熱材と装飾材の寸法調整例を示す正面図である。
【図３】別体型窓ガラス用断熱体の第一実施形態における断熱材と装飾材との分離状態（イ）と装着状態（ロ）の側面図である。
【図４】別体型窓ガラス用断熱体の第二実施形態における装飾材の使用例を示す斜視図である。
【図５−１】本発明の一体型窓ガラス用断熱体の装着前（イ）と装着後（ロ）の縦断面図である。
【図５−２】一体型窓ガラス用断熱体における断熱材と装飾材との分離状態（イ）と着接状態（ロ）の側面図である。
【図６】粘着式着接手段の形状例を示す要部側面図である。
【図７】雄型面ファスナーと雌型面ファスナーの要部側面図である。
【図８−１】長尺断熱材の斜視図である。
【図８−２】長尺装飾材の斜視図である。
【符号の説明】
【００２４】
１  窓ガラス用断熱体、１０  別体型断熱体、１１  一体型断熱体
２  断熱材、２０  長尺断熱材
２１  発泡樹脂材、２２  発泡ウレタン樹脂
２ａ  室内面、２ｂ  室外面
３  装飾材、３０  長尺装飾材
３１  カーテン生地、３２  レース生地
４  係合手段、１４  面ファスナー式係合手段
５  着接手段、１５  面ファスナー式着接手段、２５  粘着式着接手段
６，６Ａ，１６  雄型面ファスナー、６ａ  フック、６ｂ  テープ
７  雌型面ファスナー、７ａ  ループ、７ｂ  テープ
８  片面粘着テープ、１８  両面粘着テープ
８ａ  テープ、８ｂ，８ｃ  粘着層
９  剥離紙
Ｆ  枠部、ｆ  室内面
Ｆ１，Ｆ２  左右縦枠材、Ｆ３，Ｆ４  上下横枠材、ｆ１，ｆ２，ｆ３，ｆ４  内周壁
Ｅ１，Ｅ２，Ｅ３，Ｅ４  ガラス嵌合溝
Ｐ  パッキン
Ｇ  ガラス板、ｇ  板面
Ｔ  額高さ、ｔ  取付け厚さ
Ｈ  枠内高さ、Ｌ  枠内巾
【図１−１】
2007126820.tif 000003
【図１−２】
2007126820.tif 000004
【図１−３】
2007126820.tif 000005
【図２−１】
2007126820.tif 000006
【図２−２】
2007126820.tif 000007
【図３】
2007126820.tif 000008
【図４】
2007126820.tif 000009
【図５−１】
2007126820.tif 000010
【図５−２】
2007126820.tif 000011
【図６】
2007126820.tif 000012
【図７】
2007126820.tif 000013
【図８−１】
2007126820.tif 000014
【図８−２】
2007126820.tif 000015